(57)【特許請求の範囲】
【請求項１】
体液を含む液体を回収する排液回収容器であって、
容器本体と、
前記容器本体の上面に配置され液体が導入される第１ポートと、
前記容器本体の上面の内面における前記第１ポートに連続する位置に配置され、前記容器本体の上面と側面とをつなぐ板状のガイド部材と、を備え、
前記容器本体は、平面視矩形の直方体状に形成され、
前記ガイド部材は、前記容器本体の上面と前記容器本体の長手方向に沿って配置される側面とをつなぎ、かつ、底面には接続されない排液回収容器。
【請求項２】
前記ガイド部材は、前記第１ポートに対して一つ配置される請求項１に記載の排液回収容器。
【請求項３】
前記ガイド部材の上端部は、前記第１ポートの内側に突出した位置に配置される請求項１又は２に記載の排液回収容器。
【請求項４】
前記ガイド部材の前記第１ポート側に位置する面と鉛直方向とのなす角度は６０度以下である請求項１〜３のいずれかに記載の排液回収容器。
【請求項５】
前記容器本体は、平面視矩形の直方体状に形成されると共に、前記第１ポートは、前記容器本体の上面における長手方向の一端側に配置され、
前記排液回収容器は、前記容器本体の上面における長手方向の他端側に配置される第２ポートと、前記容器本体の側面から該容器本体の内面側に突出するように配置され前記容器本体の上面と下面とをつなぐ複数のリブと、を更に備える請求項１〜４のいずれかに記載の排液回収容器。
【発明の詳細な説明】
【技術分野】
【０００１】
本発明は、人工心肺等の体外循環装置において希釈された血液を濃縮した場合に生じる排液を回収する排液回収容器に関する。
【背景技術】
【０００２】
従来、手術時等における補助的な血液循環を目的として、人工心肺等の体外循環装置が用いられている。体外循環装置により血液を体外循環させる場合には、体外循環時における血液の流動性を確保すること等を目的として、血液は希釈されて用いられる。そのため、体外循環装置は希釈された血液を濃縮する血液濃縮回路を有しており、体外循環を終了する場合には、希釈された血液は、血液濃縮回路によって濃縮される（例えば、特許文献１参照）。血液濃縮回路によって血液を濃縮した場合に生じる排液は、排液回収容器に回収される。
【先行技術文献】
【特許文献】
【０００３】
【特許文献１】特開２０１０−２１３８５２号公報
【発明の概要】
【発明が解決しようとする課題】
【０００４】
ところで、体外循環を行っている間における血液中の水分管理を適切に行うためには、排液回収容器に回収される排液の量を正確に把握することが必要となる。しかしながら、体液を含む排液にはタンパク質が含まれるため、この排液が排液回収容器に導入されるときに泡だってしまい、排液の量を正確に把握できない場合があった。
【０００５】
従って、本発明は、回収された排液の量を正確に把握できる排液回収容器を提供することを目的とする。
【課題を解決するための手段】
【０００６】
本発明は、体液を含む液体を回収する排液回収容器であって、容器本体と、前記容器本体の上面に配置され液体が導入される第１ポートと、前記容器本体の上面の内面における前記第１ポートに連続する位置に配置され、前記容器本体の上面と側面とをつなぐ板状のガイド部材と、を備える排液回収容器。
【０００７】
また、前記ガイド部材は、前記第１ポートに対して一つ配置されることが好ましい。
【０００８】
また、前記ガイド部材の上端部は、前記第１ポートの内側に突出した位置に配置されることが好ましい。
【０００９】
また、ガイド部材の前記第１ポート側に位置する面と鉛直方向とのなす角度は６０度以下であることが好ましい。
【００１０】
また、前記容器本体は、平面視矩形の直方体状に形成されると共に、前記第１ポートは、前記容器本体の上面における長手方向の一端側に配置され、前記排液回収容器は、前記容器本体の上面における長手方向の他端側に配置される第２ポートと、前記容器本体の側面から該容器本体の内面側に突出するように配置され前記容器本体の上面と下面とをつなぐ複数のリブと、を更に備えることが好ましい。
【発明の効果】
【００１１】
本発明の排液回収容器によれば、排液が回収される場合に泡立ちが生じにくいので、回収された排液の量を正確に把握できる。
【図面の簡単な説明】
【００１２】
【図１】本発明の一実施形態に係る排液回収容器を含んで構成される血液濃縮回路を示す図である。
【図２】本発明の一実施形態に係る排液回収容器を示す斜視図である。
【図３】図２に示す排液回収容器の正面図である。
【図４】図３のＸ−Ｘ線断面図である。
【図５】図３のＹ−Ｙ線断面図である。
【図６】図５の部分拡大図である。
【発明を実施するための形態】
【００１３】
以下、本発明の排液回収容器の一実施形態について、図面を参照しながら説明する。
本発明の排液回収容器１は、人工心肺装置等の体外循環装置において、希釈された血液が濃縮された場合に生じる排液を回収するために用いられる。人工心肺装置１００は、図１に示すように、メイン回路１１０と、血液濃縮回路１２０と、を含んで構成される。
【００１４】
メイン回路１１０は、血液の体外循環を行う場合に、体外に血液を取り出すと共に取り出した血液のガス交換を行い、ガス交換を行った血液を体内に戻す。このメイン回路１１０は、脱血ライン１１１と、貯血槽１１２と、血液ポンプ１１３と、人工肺１１４と、送血ライン１１５と、を含んで構成される。
【００１５】
脱血ライン１１１は、対象者の身体を循環し心臓に戻ってきた血液を体外に取り出す。貯血槽１１２は、脱血ライン１１１により体外に取り出された血液を貯留する。血液ポンプ１１３は、貯血槽１１２に貯留された血液を所定の流量で下流側に送り出す。即ち、血液ポンプ１１３は、人工心として機能する。人工肺１１４は、血液ポンプ１１３の下流側に配置され、血液ポンプ１１３により送り出された血液のガス交換（二酸化炭素の除去及び酸素の添加）を行う。送血ライン１１５は、人工肺１１４によりガス交換が行われた血液を対象者の心臓に送出する。
【００１６】
血液濃縮回路１２０は、人工心肺装置１００による血液の体外循環を終了する場合等に、希釈された血液を濃縮するために用いられる。この血液濃縮回路１２０は、血液濃縮器１２１と、血液供給ライン１２２と、送血ポンプ１２３と、血液返送ライン１２４と、排液ライン１２５と、排液回収容器１と、複数の圧力計１２６，１２７，１２８と、を備える。
【００１７】
血液濃縮器１２１は、中空繊維からなるろ過フィルタ等により構成され、血液をろ過して血液から所定量の水分を除去することで血液を濃縮する。
血液供給ライン１２２は、貯血槽１１２と血液濃縮器１２１とを接続し、貯血槽１１２に貯留された血液を血液濃縮器１２１に供給する。
送血ポンプ１２３は、血液供給ライン１２２に配置され、血液供給ライン１２２を流通する血液を血液濃縮器１２１側に送り出す。
【００１８】
血液返送ライン１２４は、血液濃縮器１２１と貯血槽１１２とを接続し、血液濃縮器１２１において濃縮された血液を貯血槽１１２に返送する。
排液ライン１２５は、上流側の端部が血液濃縮器１２１に接続され、血液濃縮器１２１で除去された水分を排液として排出する。
【００１９】
圧力計１２６は、血液供給ライン１２２に配置され、血液濃縮器１２１の上流側における血液の圧力を測定する。圧力計１２７は、血液返送ライン１２４に配置され血液濃縮器１２１の下流側における血液の圧力を測定する。圧力計１２８は、排液ライン１２５に配置され排液ライン１２５を流通する排液の圧力を測定する。
【００２０】
排液回収容器１は、排液ライン１２５の下流側の端部に接続され、排液ライン１２５を流通する排液を回収する。
排液回収容器１は、図２〜図４に示すように、容器本体１０と、第１ポート２０と、第２ポート３０と、ガイド部材４０と、複数のリブ５０と、一対のガード部材６０と、を備える。
【００２１】
容器本体１０は、図２及び図４に示すように、平面視矩形の直方体状に形成される。より具体的には、容器本体１０は、平面視における長手方向ＬＤの長さ及び幅方向ＷＤの長さよりも高さ方向ＨＤの長さが長い直方体状に形成される。容器本体１０の容積は、好ましくは、５００ｍｌ〜３０００ｍｌである。
【００２２】
第１ポート２０は、容器本体１０の上面に配置され、容器本体１０の上方に突出する。第１ポート２０は、容器本体１０の内部と外部とを連通させる。本実施形態では、第１ポート２０は、容器本体１０の上面における長手方向ＬＤの一端側に配置される。この第１ポート２０には、排液ライン１２５の下流側の端部が接続される。
【００２３】
第２ポート３０は、容器本体１０の上面に配置され、容器本体１０の上方に突出する。第２ポート３０は、容器本体１０の内部と外部とを連通させる。本実施形態では、第２ポート３０は、容器本体１０の上面における長手方向ＬＤの他端側（第１ポート２０と反対側）に配置される。この第２ポート３０には、チューブ１２９を介して容器本体１０の内部を減圧する減圧手段（図示せず）が接続される（図１参照）。
【００２４】
ガイド部材４０は、容器本体１０の上面の内面における第１ポート２０に連続する位置に配置される。ガイド部材４０は板状に形成され、容器本体１０の上面と側面とをつなぐ。ガイド部材４０は、第１ポート２０から容器本体１０の内部に導入される排液を側面側に案内する。
より具体的には、ガイド部材４０は、図４〜図６に示すように、板面が鉛直方向に沿うように配置されると共に、上端部が第１ポート２０側に突出するように配置される。言い換えれば、ガイド部材４０は、上端部が平面視において第１ポート２０における連通部分に重なる位置に配置される（図４参照）。
ガイド部材４０による排液の案内効果を向上させる観点から、図６に示すように、ガイド部材４０における第１ポート２０側に突出する部分の長さＬ１は、第１ポート２０内径Ｌ２の１０％以上であることが好ましい。
【００２５】
また、ガイド部材４０が好適に機能を果たす観点から、ガイド部材４０の第１ポート２０側に位置する面４０ａと鉛直方向ＧＤとのなす角度θは、６０度以下であることが好ましく、４５度以下であることがより好ましく、３５度以下であることが更に好ましい。
【００２６】
以上のガイド部材４０は、第１ポート２０に対して一つ配置される。また、本実施形態では、ガイド部材４０は、第２ポート３０にも配置される。
ガイド部材４０は、第１ポート２０から容器本体１０の内部に導入された排液を好適に側面側に案内する観点から、親水性の材料により構成されるか、又は表面に親水化処理が施されることが好ましい。また、ガイド部材４０の表面が親水性を有する場合には、表面粗さを粗く形成することが好ましい。
【００２７】
複数のリブ５０は、図４及び図５に示すように、容器本体１０の側面からこの容器本体１０の内面側に突出するように配置され、容器本体１０の上面と底面とをつなぐ。本実施形態では、複数のリブ５０は、容器本体１０の長手方向ＬＤに沿って配置される一対の側面に、長手方向に所定の間隔をあけて配置される。複数のリブ５０は、排液回収容器１の内部が減圧された場合における排液回収容器１の強度を向上させる。
【００２８】
一対のガード部材６０は、図２及び図３に示すように、容器本体１０の上面における長手方向ＬＤの一端部及び他端部にそれぞれ配置される。一対のガード部材６０は、容器本体１０の幅方向ＷＤに沿う側面及び長手方向ＬＤに沿う側面に沿うように容器本体１０の上面から上方に延出する。一対のガード部材６０の高さは、第１ポート２０の高さ及び第２ポート３０の高さよりも高く構成される。また、一対のガード部材６０の上端面は、略水平面となった部分を有する。
【００２９】
本実施形態では、排液回収容器１は、ポリスチレン、ポリプロピレン、ポリエチレンテレフタレート等の合成樹脂材料を一体成形することで構成される。より具体的には、排液回収容器１は、上下方向に２分割された形状の排液回収容器分割体１１を一体成形により形成し、２つの同形状の排液回収容器分割体１１を接着することで構成される。即ち、排液回収容器分割体１１においては、容器本体１０、第１ポート２０、第２ポート３０、ガイド部材４０、複数のリブ５０及び一対のガード部材６０は、一体成形される。
【００３０】
これにより、排液回収容器１には、下面にも２つのポート（第１ポート２０及び第２ポート３０に対応）及び一対のガード部材６０が形成される。これらのポートは、キャップ等により閉鎖される（図示せず）。ここで、一対のガード部材６０の高さは、第１ポート２０及び第２ポート３０の高さよりも高く構成され、また一対のガード部材６０の上端面（底面側では下端面）は、略水平面となった部分を有する。これにより、排液回収容器１の底面側にポートが形成されていても、この排液回収容器１を水平面に好適に載置できる。
【００３１】
次に、血液濃縮回路１２０における血液等の流れについて説明する。血液濃縮回路１２０を稼動させる場合には、まず、送血ポンプ１２３を駆動させ、血液供給ライン１２２に血液を流通させる。血液供給ライン１２２を流通する血液は、血液濃縮器１２１に導入され、血液濃縮器１２１においてろ過され、過剰な水分等が除去される。血液濃縮器１２１において水分等が除去されて濃縮された血液は、血液返送ライン１２４を通じて貯血槽１１２に返送される。
【００３２】
一方、血液濃縮器１２１において除去された水分等は、排液として排液ライン１２５を通じて排液回収容器１に回収される。また、排液回収容器１に接続された減圧手段（図示せず）により排液回収容器１の内部が減圧されることで、排液の回収が促進される。
尚、血液濃縮回路１２０における血液濃縮率は（水分の除去量）は、圧力計１２６，１２７，１２８により測定される圧力によって監視されると共に、送血ポンプ１２３及び減圧手段の出力を調整することにより制御される。
【００３３】
ここで、排液ライン１２５を通じて排液回収容器１に回収される排液には、タンパク質が含まれるため、第１ポート２０から直下に排液が落下して容器本体１０の内部に導入されると、泡立ちが発生してしまう。容器本体１０の内部で泡立ちが発生してしまうと、回収された排液の量を正確に把握できなくなってしまう。また、内部が減圧された場合における強度を高めるために排液回収容器１を複数のリブ５０を含んで構成した場合には、発生した泡の移動がリブ５０により妨げられて泡が局所的に滞留することで、排液量の把握がより困難になる。
【００３４】
そこで、本実施形態では、排液回収容器１を、容器本体１０の内部における第１ポート２０に連続する位置に配置した板状のガイド部材４０を含んで構成した。これにより、第１ポート２０から導入される排液を、ガイド部材４０を通じて容器本体１０の側面（壁面）を伝わせて排液回収容器１に収容させられる。よって、排液回収容器１に排液が導入される場合における泡立ちの発生を抑制できるので、排液回収容器１に回収された排液の量を正確に把握できる。
【００３５】
また、ガイド部材４０を一つの第１ポート２０に対して一つ配置した。これにより、第１ポート２０から容器本体１０の内部に導入された排液を、一の方向に偏らせて案内できるので、第１ポート２０と容器本体１０との境界において液だまりをできにくくできる。よって、液滴が下方に落下することによる泡立ちの発生を抑制できる。
【００３６】
また、ガイド部材４０の上端部を、第１ポート２０の内側に突出した位置に位置させた。これにより、第１ポート２０から導入される排液をガイド部材４０により好適に導けるので、泡立ちの発生をより抑制できる。
【００３７】
また、ガイド部材４０の第１ポート２０側に位置する面２０ａと鉛直方向ＧＤとのなす角度θを６０度以下とした。これにより、第１ポート２０から導入される排液をガイド部材４０側により導きやすくできるので、排液回収容器１に導入される排液の流速を早くした場合であっても泡立ちの発生を効果的に抑制できる。
【００３８】
また、容器本体１０を直方体状に形成すると共に、排液回収容器１を、容器本体１０の側面に配置した複数のリブ５０を含んで構成した。これにより、排液回収容器１を、リブ５０を含んで構成することで排液回収容器１の耐圧性を向上させられる。また、リブ５０を配置することにより容器本体１０の内部における排液の流路が複雑化した場合であっても、泡立ちの発生を抑制することで泡の存在による排液の流動性の低下を防げるので、容器本体１０の形状の自由度を高められる。
【００３９】
以上、本発明の排液回収容器１の好ましい一実施形態につき説明したが、本発明は、上述の実施形態に制限されるものではなく、適宜変更が可能である。
例えば、本実施形態では、第１ポート２０に対して一つのガイド部材４０を配置したが、これに限らない。即ち、第１ポートに対して複数のガイド部材を配置してもよい。また、複数のリブのうちの所定のリブを第１ポートに連続する位置に配置してガイド部材として機能させてもよい。
【００４０】
また、本実施形態では、容器本体１０を直方体状に形成したが、これに限らない。即ち、容器本体１０を円筒状に形成してもよく、また他の形状に形成してもよい。
【００４１】
また、本実施形態では、排液回収容器１を人工心肺装置１００に適用したが、これに限らない。即ち、排液回収容器を、血液透析装置等に適用してもよい。
【実施例】
【００４２】
次に、本発明を実施例に基づいて更に詳細に説明するが、本発明はこれに限定されるものではない。
【００４３】
［実施例１］
図２〜図６に示す実施形態の排液回収容器を作製し、実施例１の排液回収容器とした。排液回収容器は、ポリエチレンテレフタレート樹脂を成形して形成した。排液回収容器の容量は、１５００ｍｌ、第１ポート２０の内径Ｌ２は６ｍｍ、ガイド部材４０における第１ポート２０側の面４０ａと鉛直方向ＧＤとのなす角度θは３５度、ガイド部材４０における第１ポート２０の内側に突出した部分の長さＬ１は、１ｍｍとした。
【００４４】
［実施例２］
ガイド部材４０における第１ポート２０側の面４０ａと鉛直方向ＧＤとのなす角度θを４５度とした以外は、実施例１と同様にして排液回収容器を作製した。
【００４５】
［実施例３］
ガイド部材４０における第１ポート２０側の面４０ａと鉛直方向ＧＤとのなす角度θを３５度とした以外は、実施例１と同様にして排液回収容器を作製した。
【００４６】
［比較例］
ガイド部材４０を設けない以外は、実施例１と同様にして排液回収容器を作製した。
【００４７】
［泡立ち発生流量の測定］
牛血液を、血液濃縮器を用いて濃縮して排液を作製し、この作製した排液を、ローラーポンプを用いて一定流量で排液回収容器に供給した。実施例１〜３及び比較例の排液回収容器それぞれにおいて、泡立ちが発生するまで排液の流量を徐々に上げ泡立ち発生流量を測定した。結果を表１に示す。尚、血液濃縮器として、商品名：アクアストリーム、型式ＡＳ−１１（株式会社ＪＭＳ製）を用いた。
結果を表１に示す。
【００４８】
【表１】
0006511801.tif 000002
【００４９】
表１に示すように、ガイド部材を含んで構成した実施例１〜３の排液回収容器では、ガイド部材を含まない比較例の排液回収容器に比して、泡立ちが発生してしまう排液の導入流量（限界流量）が大幅に大きくなることがわかった。即ち、実施例１〜３の排液回収容器によれば、排液の導入速度が早くなった場合であっても泡立ちが発生しないことが示された。
尚、通常の人工心肺装置において血液濃縮回路を動作させた場合の排液の流量は、３０ｍｌ／ｍｉｎ〜２５０ｍｌ／ｍｉｎ程度である。
【符号の説明】
【００５０】
１  排液回収容器
１０  容器本体
２０  第１ポート
３０  第２ポート
４０  ガイド部材
５０  リブ
１００  人工心肺装置
１１０  メイン回路
１２０  血液濃縮回路
【図１】
0006511801.tif 000003
【図２】
0006511801.tif 000004
【図３】
0006511801.tif 000005
【図４】
0006511801.tif 000006
【図５】
0006511801.tif 000007
【図６】
0006511801.tif 000008